(57)【特許請求の範囲】
【請求項１】
一面にコート組成分がコートされた支持リボンからなるテープの供給スプールと、コート組成分が除去された支持リボンからなる使用済みテープ用のテイクアップスプールとが設けられたホルダを有し、前記テープは、基板にコート組成分を転移するために基板に対して支持リボンを押すように使用されるアプリケーション先端エレメントの縁部の周りで供給スプール及びテイクアップスプールの間を通過するように案内され、アプリケーション先端エレメントは、ディスペンサの使用中に基板に対して押される方向とほぼ整合した所定の軸線の周りに揺動可能にホルダに結合され、基板面のアプリケーション先端エレメントの移動中にアプリケーション先端エレメントに作用する摩擦力が、基板面のアプリケーション先端エレメントの前記移動方向に対してほぼ直角に縁部を維持するようにアプリケーション先端エレメントを前記所定の軸線の周りで揺動させるようにした、基板にコート組成分のストリップを適用するテープディスペンサ。
【請求項２】
前記所定の軸線が、基板にコート組成分を転移するためのアプリケーション先端エレメントの移動方向に、縁部の前方に離間されている、請求項１に記載のテープディスペンサ。
【請求項３】
前記アプリケーション先端エレメントが、前記軸線を規定する軸受装置を介して前記ホルダに接続されている取付部分に結合されており、前記アプリケーション先端エレメントは、そのアプリケーション先端エレメントが偏倚される正規の位置のいずれかの側に前記所定の軸線の廻りで可動である、請求項１または２に記載のテープディスペンサ。
【請求項４】
前記アプリケーション先端エレメントが、前記縁部及び前記所定の軸線にほぼ直角で、前記縁部と交叉する揺動軸線の周りでホルダに対して揺動可能である、請求項１乃至３のいずれか１項に記載のテープディスペンサ。
【請求項５】
前記揺動軸線が、アプリケーション先端エレメントを前記ホルダに取り付ける取付部分に接続するシェル軸受によって規定される、請求項４に記載のテープディスペンサ。
【請求項６】
前記取付部分が弧状の軸受スロットを有し、前記アプリケーション先端エレメントの突出部分がアプリケーション先端エレメントを取付部分に取り付けるために前記スロットに係合している、請求項４または５に記載のテープディスペンサ。
【請求項７】
前記アプリケーション先端エレメントは、前記所定の軸線の周りで中央の休止位置に偏倚される請求項１に記載のテープディスペンサ。
【発明の詳細な説明】
本発明は、基板にストリップまたはバンドのようなコート材料を適用するテープディスペンサに関する。例えば、一つの面に修正組成分がコートされているプラスチック支持リボン用の供給スプール及びテイクアップスプールが、使用中に手で保持されるホルダ内に収容されている修正テープディスペンサは知られている。支持リボンが供給スプールからテイクアップスプールに通過する際に、支持リボンは、アプリケーションエレメントによって形成された縁部の周りを通過し、その縁部によって筆記中に生じたミスを修正するために紙のシート表面にコート組成分を転移するためにリボンが押し付けられる。アプリケーションエレメントの縁部は、コート組成分がリボンから剥がされるようにリボン通路に鋭い曲線を形成している。縁部が紙の上を移動するとき、テイクアップスプールは、縁部を通過するリボンを巻き上げ、コート組成分が除去されたリボンを巻き上げるように駆動されながら、新しいコートリボンが供給スプールから引き出される。よって、アプリケーションエレメントの前方への移動が停止され、紙から上昇するまで、コート組成分の直線的な連続ストリップが紙上に転移される。現在使用できる修正テープディスペンサは満足のゆくように作用するが、それらには欠点がないわけではない。或る場合には、むしろ不自然で取り扱いにくい向きでホルダを保持することが要求される。さらに、コート組成分のストリップを紙上に転移するとき、縁部が表面に平坦のままであることを保証するために或る配慮または技能が必要になり、さもなければ、ストリップがリボンから正しく放出されず、その結果、紙の上に置かれるストリップが破れるか不完全なものになる。この問題を克服するために、アプリケーションエレメントを、紙の平面上にかつ縁部に直角に理想的に配設された軸の周りに旋回可能に取り付けることが、国際特許出願第ＰＣＴ／ＵＳ９４／０６５８５で提案されている。公知の修正テープディスペンサによる他の欠点は、コート組成分のストリップを転移するとき、紙の表面上におけるアプリケーションエレメントの先端部分の移動方向とほぼ直角になるように、最初に縁部に向きを与え、維持しなければならないことであり、さもなければ、テープが縁部に沿ってスライドする強い傾向があり、そこから完全に外れ、これによってディスペンサの円滑な動作が阻害される。
本発明は、上述のような欠点を解決し、１つの解決方法として、一つの面にコート組成分がコートされた支持リボンから成るテープの供給スプールと、コート組成分が除去された支持リボンから成る使用済みテープ用のテイクアップスプールとが設けられたホルダを有し、前記テープは、基板にコート組成分を転移するために基板に対して支持リボンを押すように使用されるアプリケーション先端エレメントの縁部の周りで、供給スプール及びテイクアップスプールの間を通過するように案内され、アプリケーション先端エレメントは、ディスペンサの使用中に基板に対して押される方向とほぼ整合した所定の軸線の周りで揺動可能にホルダに結合され、基板面のアプリケーション先端エレメントの移動中にアプリケーション先端エレメントに作用する摩擦力で、基板面のアプリケーション先端エレメントが前記軸線の周りで揺動されるようにした、基板にコート組成分のストリップを適用するテープディスペンサを提供する。
直立した所定の軸線の周りで或る自由度を有するアプリケーション先端エレメントを提供することによって、このエレメントは、コート組成分のストリップの長さ方向に直角に基板に対して縁部を配置し、及び／または基板に対して縁部の全移動行程にわたって縁部の方向を維持するように調整し、これに関するユーザの失敗を補償することができる。ストリップのコート組成分を配置する動作の間に出会う摩擦力の効果でアプリケーションエレメントの自動調整を促進するために、軸線は、アプリケーション先端エレメントの縁部からその前方に小さい距離だけ離間されていることが好ましい。所定の軸線はシェル軸受のような軸受装置によって形成されるが、特別に有利な構造においては、この軸線は一体のヒンジによって形成することができる。このヒンジはアプリケーション先端エレメントを中央休止位置に偏倚するようになっており、エレメントは、その休止位置から軸線の周りで双方向に角度的に揺動可能であることが好ましい。しかしながら、この目的のために、分離した他のばね装置が設けられ、テープそれ自身の張力は、アプリケーション先端エレメントにセンタリング効果を有する。
また、本発明によって製造されたテープディスペンサは、前述した特許出願第ＰＣＴ／ＵＳ９４／０６５８５の発明に適用できる。よって、現在好ましい実施例において、テープディスペンサのアプリケーション先端エレメントは、アプリケーション先端エレメントの縁部にほぼ直角で最初に説明した所定の軸線にほぼ直角な旋同軸線の周りでホルダに対して旋回可能である。
本発明のさらによい理解及びその好ましい特徴は、添付図面を参照しながら行われる次の詳細な説明から得ることができる。
第１図は、本発明による修正テープディスペンサの概略図である。
第２Ａ図は、本発明の第１の実施例を示す斜視図である。
第２Ｂ図は、第２Ａ図に示す修正テープディスペンサアプリケータの平面図である。
第３図は、第２Ａ図の実施例と同様の変形されたアプリケータ先端組立体を示す分解斜視図である。
第４図は、ディスペンサの本体を紙に対して所定の向きに厳密に保持することを要求することなく表面に対してそれ自身を平坦に置くように調整するためにアプリケータ先端をロックすることができるようにした前記国際特許出願第ＰＣＴ／ＵＳ９４／０６５８５号に説明されている軸受を含む本発明の他の実施例を示す斜視図である。
第５図は、第４図の実施例に組み込まれたアプリケータ先端組立体の分解斜視図である。
第６Ａ図及び第６Ｂ図は、第４図及び第５図の先端組立体によって可能になる２つの自由度の動きを示す図面である。
第７図は、第４図乃至第６図の実施例のようなアプリケータ先端部の揺動運動を可能とするようになっている第３図と同様のアプリケータ先端部の斜視図である。
第１図に示すディスペンサは、テープ供給スプール５０，テイクアップスプール５１を収容する本体またはホルダ２０を有し、これらは図示するような平行な軸または共通軸の周りで従来のように回転可能であり、テープ１がテープ供給スプール５０から引かれるとき、テイクアップスプール５１が等しい量のテープだけ巻き取るように回転するよう、滑動駆動機構によって結合されている。テープ１は、支持リボンの一方の面にコーティングされた修正組成分の層を有する従来のものである。第２Ａ図及び第２Ｂ図に示されているのは、修正テープディスペンサのテープアプリケータ先端組立体である。テープ供給スプール５０とテイクアップスプール５１との間に延びるテープは、アプリケーション先端エレメント４に形成されている縁部５の周りを通過するように案内される。この縁部５は紙の表面にテープを押し付けるように使用され、支持リボンからの修正組成分の放出を容易にするためにテープ通路に鋭い屈曲部を形成し、紙の表面への転移を容易にする。アプリケーション先端エレメント４は支持リング６と一体のブレード部材からなり、支持リング６にはブレード部材の各側面に開口するテープ案内スロット７、８が設けられている。縁部５の面に対して９０°の位置において、支持リング６が以下ヨー（ｙａｗ）軸線と称される所定の軸線Ｙを形成するヒンジ１０によってポスト状の取付部分９に一体的に接続されている。その所定の軸線は、ディスペンサの使用中にアプリケーション先端エレメント４が基板に対して移動される方向にほぼ整合している。テープ１は、スロット７を通って下方の縁部５を周り、スロット８を上方に通ってテイクアップスプール５１に至るように案内される。使用中、縁部５は取付部分９が実質的に強固に取り付けられているディスペンサのホルダによって紙の表面に押され、縁部５は、縁部５に直角な方向にかつ取付部分９方向に紙の表面を移動される。テープ１に対して加えられる圧力によって、修正組成分が紙に転移され、テープリボン上を縁部５が摺動することにより新しいテープが供給スプールから縁部５の前方に引き下ろされ、縁部５の後側面のリボンはテイクアップスプール５１によって巻き上げられ、修正組成分のコーティングは紙面上に残される。縁部５が紙の表面にわたって移動される方向に対して厳密に直角に向いていない場合には、縁部５の移動中は何時でも、アプリケーション先端エレメントが、修正組成分の連続ストリップを貼り付けるように、紙の表面に直角でありヒンジ１０によって形成されるヨー軸線の周りで旋回し、縁部５が移動方向に直角な正しい方向を確立しまたは再び確立するようにされる。
その結果、ユーザは、修正組成分の連続ストリップを供給するためにディスペンサの移動中にホルダの厳格な向きを維持することは必要とされない。
第３図のアプリケーション先端エレメントは、基本的には第２Ａ図及び第２Ｂ図のエレメントと同様であるが、この実施例においては、一体のヒンジがプレート９の形を有する取付プレートに接続するのではなく、アプリケーション先端エレメント自身によって形成されている。縁部５を形成するアプリケーション先端エレメント４は、プレート状の取付部分９に設けられたスロット１３にスナップ係合する一対のアーム１２を有するヨーク部材１１にヒンジ１０によって接続されている。縁部５の前方側には、テープ１の案内スロットがヨーク部材１１とプレート９との間に形成され、縁部５の後側には、アプリケーション先端エレメント４にテープを案内する溝を形成する互いに離間したウイング状の突出部１４が形成されている。第１の実施例において、ヒンジ１０は、縁部５の軸線回りの旋回方向の調整を許容し、修正組成分のストリップの貼付に際してディスペンサの移動方向に対する正しくない向きを補償する。ヒンジ軸線が第１の実施例におけるより縁部５にさらに接近しているので、縁部５を動きの方向に直角に配置する傾向があるキャストリング効果は低減しヒンジの弾性は幾分小さくなる。
第１図、第２図及び第３図の実施例において、ヒンジ１０は、アプリケーション先端エレメント４の縁部５がヨー軸線の周りで中央の正規の休止位置に偏倚されるように回復力を及ぼすように形成されることが好ましい。或いは、分離したばねをこの目的のために適用することもできる。さらに、ヒンジ１０は、ヨー軸線及び縁部５にほぼ直角なピッチ軸線の周りで或る程度の揺動運動を可能にするように形成することができる。
第４図乃至第６図は、ピッチ軸線の周りのアプリケーション先端エレメントの旋回運動が可能になるような軸受を有している。この点において、この修正テープディスペンサは、上述した国際特許出願第ＰＣＴ／ＵＳ９４／０６５８５号に説明されているようなものである。本体またはホルダ２０にテープ供給スプール及びテイクアップスプールが収容されており、そのホルダ２０の前端からテープ案内ポスト２２を有する部品２１に取り付けられているアプリケーション先端エレメントが突出している。縁部５は、両側にテープ案内用のウイング１４を有するアプリケーション先端エレメント４に形成されている。このアプリケーション先端エレメント４のノッチまたはスロットは軸受面２３を有し、この軸受面２３は、軸受部材２５の補完的な軸受面２４と協働し、先端エレメントが自由に揺動できるピッチ軸線Ｐを形成するシェル軸受を形成している。ピッチ軸線Ｐは、縁部５と相互に交差し、縁部５が紙の表面を移動する方向に延びている。また軸受部材２５にはスロット２６が設けられており、このスロット２６に取付部分２１の端部に設けられた舌部分２８が受けられている。舌部分２８及びスロット２６は、補完的な弧状の側面を有し、仮想的なヨー軸線Ｙ′を規定するシェル軸受を形成するために協働する。ヨー軸線Ｙ′は、ピッチ軸線Ｐ及び縁部５にほぼ直角であり、使用中に紙の表面にほぼ直角であり、縁部５の前方に近い位置に配置されている。第６Ａ図及び第６Ｂ図に示すように、二重のシェル軸受構成によってピッチ軸線Ｐの周りに揺動することによって紙に対して縁部が平坦になり、ヨー軸線Ｙ′の周りの旋回によって縁部が移動方向に直角になるようにアプリケーション先端エレメント４を自動的に調整することができる。
第７図は、本発明の好ましい実施例を示す。先端エレメントは、基本的には第３図に関して述べたようにヨー軸線Ｙを規定する一体のヒンジ１０を備えている。各スロットにしっかりと係合する２つのアームの代わりに、プレート状の取付部分９は、弧状スロット３０を備えており、ヨークアームはスロット３０にスナップ係合されている１対のペグ３１を形成するために二股に分かれている。ペグ３１は、スロットの湾曲面と協働し、縁部５及びヨー軸線の周りで可能な揺動運動が可能な自由度によって、先端エレメント４は、それが紙の面に対して正しい向きで適用され維持されるように自動的に調整することができる。
第１図乃至第３図及び第７図の実施例において、ヒンジを一体的に形成することは本質的なものではなく、これがさらに重要で、または望ましいものであると考慮される、例えば、支持部材の先端エレメントが異なる材料であることを可能にする場合には、別の部品を有することもできる。
前述した実施例の各々において、筆記具を持つ向きと同様な向きにディスペンサを保持することができるように、イギリス特許出願第２２７５０４２号に説明されているようなアプリケータ縁部にテープを案内する案内装置を有するディスペンサ本体に供給スプール及びテイクアップスプールを配置することができる。
【図１】
0004005127.tif 000002
【図２Ａ】
0004005127.tif 000003
【図２Ｂ】
0004005127.tif 000004
【図３】
0004005127.tif 000005
【図４】
0004005127.tif 000006
【図５】
0004005127.tif 000007
【図６Ａ】
0004005127.tif 000008
【図６Ｂ】
0004005127.tif 000009
【図７】
0004005127.tif 000010